(57)【要約】【課題】送液ポンプの消耗部材の交換時期を的確に見極め、そのメンテナンス費用及び手間を軽減できる送液システム、この送液システムを用いた分析装置、及び送液システムに用いられる送液ポンプの寿命診断方法を提供する。【解決手段】第１の液体容器３１及び第２の液体容器３６と、第１の液体容器３１から第２の液体容器３６へ液体を送液する送液ポンプ３３と、第２の液体容器３６中の液面のレベルを測定する液面センサ３５と、液面のレベルの測定により、第２の液体容器３６へ送液された液量が、予め設定した所定量になったことを検知し、液量が所定量なるまで時間から、送液の流量を計算する流量計算手段５４と、予め設定した閾値と、流量と比較し、流量が閾値よりも小さければ、送液ポンプ３３のメンテナンス時期であると判定する流量比較手段５５とを備える。【選択図】図１
2009270453.tif 000002
【特許請求の範囲】
【請求項１】
送液ポンプを起動して、第１の液体容器から第２の液体容器への送液を開始するステップと、
前記第２の液体容器中の液面のレベルを測定し、前記第２の液体容器へ送液された液量が、予め設定した所定量になるまでの時間から、前記送液の流量を計算するステップと、
予め設定した閾値と、前記流量を比較し、前記流量が前記閾値よりも小さければ、前記送液ポンプのメンテナンス時期であると判定するステップと
を含むことを特徴とする送液ポンプの寿命診断方法。
【請求項２】
送液ポンプを起動して、第１の液体容器から第２の液体容器への送液を開始するステップと、
前記第２の液体容器中の液面のレベルを測定し、前記第２の液体容器へ送液された液量が、予め設定した所定量になるまでの時間から、前記送液の流量を計算するステップと、
前記流量を格納するステップと、
前記流量記憶部に格納された複数回の送液の流量から、前記複数回の送液の流量の平均値を計算するステップと、
予め設定した閾値と、前記平均値を比較し、前記平均値が前記閾値よりも小さければ、前記送液ポンプのメンテナンス時期であると判定するステップと
を含むことを特徴とする送液ポンプの寿命診断方法。
【請求項３】
送液ポンプを起動して、第１の液体容器から第２の液体容器への送液を開始するステップと、
前記第２の液体容器中の液面のレベルを測定し、前記第２の液体容器へ送液された液量が、予め設定した所定量になるまでの時間から、前記送液の流量を計算するステップと、
前記流量を格納するステップと、
前記流量記憶部に格納された前回と今回の送液の流量から、流量変化の微分値を計算するステップと、
予め設定した閾値と、前記微分値を比較し、前記微分値が前記閾値よりも大きければ、前記送液ポンプのメンテナンス時期であると判定するステップと
を含むことを特徴とする送液ポンプの寿命診断方法。
【請求項４】
第１及び第２の液体容器と、
前記第１の液体容器から前記第２の液体容器へ液体を送液する送液ポンプと、
前記第２の液体容器中の液面のレベルを測定する液面センサと、
前記液面のレベルの測定により、前記第２の液体容器へ送液された液量が、予め設定した所定量になったことを検知し、前記液量が前記所定量なるまでの時間から、前記送液の流量を計算する流量計算手段と、
予め設定した閾値と、前記流量を比較し、前記流量が前記閾値よりも小さければ、前記送液ポンプのメンテナンス時期であると判定する流量比較手段
とを備えることを特徴とする送液システム。
【請求項５】
第１及び第２の液体容器と、
前記第１の液体容器から前記第２の液体容器へ液体を送液する送液ポンプと、
前記第２の液体容器中の液面のレベルを測定する液面センサと、
前記液面のレベルの測定により、前記第２の液体容器へ送液された液量が、予め設定した所定量になったことを検知し、前記液量が前記所定量なるまでの時間から、前記送液の流量を計算する流量計算手段と、
前記流量を格納する流量記憶部と、
前記流量記憶部に格納された複数回の送液の流量から、前記複数回の送液の流量の平均値を計算する平均値計算手段と、
予め設定した閾値と、前記平均値を比較し、前記平均値が前記閾値よりも小さければ、前記送液ポンプのメンテナンス時期であると判定する平均値比較手段
とを備えることを特徴とする送液システム。
【請求項６】
第１及び第２の液体容器と、
前記第１の液体容器から前記第２の液体容器へ液体を送液する送液ポンプと、
前記第２の液体容器中の液面のレベルを測定する液面センサと、
前記液面のレベルの測定により、前記第２の液体容器へ送液された液量が、予め設定した所定量になったことを検知し、前記液量が前記所定量なるまでの時間から、前記送液の流量を計算する流量計算手段と、
前記流量を格納する流量記憶部と、
前記流量記憶部に格納された前回と今回の送液の流量から、流量変化の微分値を計算する微分値計算手段と、
予め設定した閾値と、前記微分値を比較し、前記微分値が前記閾値よりも大きければ、前記送液ポンプのメンテナンス時期であると判定する微分値比較手段
とを備えることを特徴とする送液システム。
【請求項７】
第１及び第２の液体容器と、
前記第１の液体容器から前記第２の液体容器へ、分析用の液体を送液する送液ポンプと、
記第２の液体容器に貯蔵された分析用の液体を分析する分析手段と、
前記第２の液体容器中の液面のレベルを測定する液面センサと、
前記液面のレベルの測定により、前記第２の液体容器へ送液された液量が、予め設定した所定量になったことを検知し、前記液量が前記所定量なるまでの時間から、前記送液の流量を計算する流量計算手段と、
予め設定した閾値と、前記流量を比較し、前記流量が前記閾値よりも小さければ、前記送液ポンプのメンテナンス時期であると判定する流量比較手段
とを備えることを特徴とする分析装置。
【請求項８】
第１及び第２の液体容器と、
前記第１の液体容器から前記第２の液体容器へ、分析用の液体を送液する送液ポンプと、
記第２の液体容器に貯蔵された分析用の液体を分析する分析手段と、
前記第２の液体容器中の液面のレベルを測定する液面センサと、
前記液面のレベルの測定により、前記第２の液体容器へ送液された液量が、予め設定した所定量になったことを検知し、前記液量が前記所定量なるまでの時間から、前記送液の流量を計算する流量計算手段と、
前記流量を格納する流量記憶部と、
前記流量記憶部に格納された複数回の送液の流量から、前記複数回の送液の流量の平均値を計算する平均値計算手段と、
予め設定した閾値と、前記平均値を比較し、前記平均値が前記閾値よりも小さければ、前記送液ポンプのメンテナンス時期であると判定する平均値比較手段
とを備えることを特徴とする分析装置。
【請求項９】
第１及び第２の液体容器と、
前記第１の液体容器から前記第２の液体容器へ、分析用の液体を送液する送液ポンプと、
記第２の液体容器に貯蔵された分析用の液体を分析する分析手段と、
前記第２の液体容器中の液面のレベルを測定する液面センサと、
前記液面のレベルの測定により、前記第２の液体容器へ送液された液量が、予め設定した所定量になったことを検知し、前記液量が前記所定量なるまでの時間から、前記送液の流量を計算する流量計算手段と、
前記流量を格納する流量記憶部と、
前記流量記憶部に格納された前回と今回の送液の流量から、流量変化の微分値を計算する微分値計算手段と、
予め設定した閾値と、前記微分値を比較し、前記微分値が前記閾値よりも大きければ、前記送液ポンプのメンテナンス時期であると判定する微分値比較手段
とを備えることを特徴とする分析装置。
【発明の詳細な説明】
【技術分野】
【０００１】
本発明は、送液システム及びこの送液システムを用いた電気泳動装置等の分析装置に係り、更には、この送液システムに用いられる送液ポンプの寿命診断方法に関する。
【背景技術】
【０００２】
簡易且つ安価な送液ポンプとして、ローラ型と蠕動運動式（ペリスタルティック方式）の２種が知られている。後者の蠕動運動型ポンプ（「蠕動型ポンプ」又は「蠕動ポンプ」とも呼ばれる。）は、弾性のあるチューブ（フレキシブルチューブ）の一点をしごきローラで押し潰し、しごきローラをそのまま移動させて、蠕動運動によりしごくことによりフレキシブルチューブ内部の液体を押し出して、フレキシブルチューブ内の液を送液するチューブポンプである（特許文献１参照。）。しごきローラが移動した後、押し潰された箇所はフレキシブルチューブの復元力によって元の形状に戻る。その際にフレキシブルチューブ内部には陰圧（あるいは負圧）が発生するので次の液体を吸引することができる。蠕動運動型ポンプはこの動作を連続的に行うことで吸引・吐出というポンプ機能を実現している。この“しごく”という物理的負荷により、フレキシブルチューブが劣化し、定期的なメンテナンスが必要となっている。ただ、フレキシブルチューブの交換時期については、見極めが難しく、統計的に設定した使用時間が経過したら、交換推奨時間としてフレキシブルチューブの交換を行っていた。
【０００３】
蠕動運動型ポンプに限られず、送液ポンプにおいては、送液ポンプが使用される環境、送液ポンプ個体差、使用頻度の違い等から、実際のポンプの寿命は千差万別であるにもかかわらず、設定寿命は一般的に安全サイドに設定する必要があるため、全く問題のない状態でも、送液ポンプの消耗部材を交換しているケースが多くあった。
【０００４】
特に、安価な送液ポンプとしての蠕動運動型ポンプでは消耗部材であるフレキシブルチューブの劣化が流量の低下に直結しており、定量送液が必要な用途では、確実に送液が行われたかを検知する手段との組合せでないと、長期使用にたえられないため、液面センサを同時に装備したり、より高価で機構が複雑な高価なポンプに代替する必要があった。
【特許文献１】特開２０００−３４５９７１号公報
【発明の開示】
【発明が解決しようとする課題】
【０００５】
本発明は、送液ポンプの消耗部材の交換時期を的確に見極め、そのメンテナンス費用及び手間を軽減できる送液システム、この送液システムを用いた分析装置、及び送液システムに用いられる送液ポンプの寿命診断方法を提供することを目的とする。
【課題を解決するための手段】
【０００６】
上記目的を達成するために、本発明の第１の態様は、送液ポンプを起動して、第１の液体容器から第２の液体容器への送液を開始するステップと、第２の液体容器中の液面のレベルを測定し、第２の液体容器へ送液された液量が、予め設定した所定量になるまでの時間から、送液の流量を計算するステップと、予め設定した閾値と、流量を比較し、流量が閾値よりも小さければ、送液ポンプのメンテナンス時期であると判定するステップとを含む送液ポンプの寿命診断方法であることを要旨とする。
【０００７】
送液ポンプの消耗部材の劣化は、結局、ポンプ流量の低下へとつながる。したがってポンプ流量の経時変化を記録することで、消耗部材の交換時期（寿命）を判断できる。又、変化したポンプ流量に応じて、ポンプ作動時間を調整すれば、定量性を維持することが可能となる。安全サイドの設定された交換時期ではなく、実測値からの判断により消耗部材の交換を行うことで、メンテナンス費用の削減につながり、長期間に亘り定量性を維持した送液が可能となる。
【０００８】
本発明の第２の態様は、送液ポンプを起動して、第１の液体容器から第２の液体容器への送液を開始するステップと、第２の液体容器中の液面のレベルを測定し、第２の液体容器へ送液された液量が、予め設定した所定量になるまでの時間から、送液の流量を計算するステップと、流量を格納するステップと、流量記憶部に格納された複数回の送液の流量から、複数回の送液の流量の平均値を計算するステップと、予め設定した閾値と、平均値を比較し、平均値が閾値よりも小さければ、送液ポンプのメンテナンス時期であると判定するステップとを含む送液ポンプの寿命診断方法であることを要旨とする。
【０００９】
ポンプ流量の平均値の経時変化を記録することで、消耗部材の交換時期（寿命）を判断できる。又、ポンプ流量の平均値に応じて、ポンプ作動時間を調整すれば、定量性を維持することが可能となる。安全サイドの設定された交換時期ではなく、実測値からの判断により消耗部材の交換を行うことで、メンテナンス費用の削減につながり、長期間に亘り定量性を維持した送液が可能となる。
【００１０】
本発明の第３の態様は、送液ポンプを起動して、第１の液体容器から第２の液体容器への送液を開始するステップと、第２の液体容器中の液面のレベルを測定し、第２の液体容器へ送液された液量が、予め設定した所定量になるまでの時間から、送液の流量を計算するステップと、流量を格納するステップと、流量記憶部に格納された前回と今回の送液の流量から、流量変化の微分値を計算するステップと、予め設定した閾値と、微分値を比較し、微分値が閾値よりも大きければ、送液ポンプのメンテナンス時期であると判定するステップとを含む送液ポンプの寿命診断方法であることを要旨とする。
【００１１】
ポンプ流量の変化の微分値の経時変化を記録することで、消耗部材の交換時期（寿命）を判断できる。又、ポンプ流量の変化に応じて、ポンプ作動時間を調整すれば、定量性を維持することが可能となる。安全サイドの設定された交換時期ではなく、実測値からの判断により消耗部材の交換を行うことで、メンテナンス費用の削減につながり、長期間に亘り定量性を維持した送液が可能となる。
【００１２】
本発明の第４の態様は、第１及び第２の液体容器と、第１の液体容器から第２の液体容器へ液体を送液する送液ポンプと、第２の液体容器中の液面のレベルを測定する液面センサと、液面のレベルの測定により、第２の液体容器へ送液された液量が、予め設定した所定量になったことを検知し、液量が所定量なるまで時間から、送液の流量を計算する流量計算手段と、予め設定した閾値と、流量を比較し、流量が閾値よりも小さければ、送液ポンプのメンテナンス時期であると判定する流量比較手段とを備える送液システムであることを要旨とする。
【００１３】
送液ポンプの消耗部材の劣化は、結局、ポンプ流量の低下へとつながる。したがって流量計算手段によりポンプ流量を計算し、その経時変化を記録し、流量比較手段により消耗部材の交換時期（寿命）を判断できる。又、変化したポンプ流量に応じて、ポンプ作動時間を調整すれば、定量性を維持することが可能となる。安全サイドの設定された交換時期ではなく、実測値からの判断により消耗部材の交換を行うことで、メンテナンス費用の削減につながり、長期間に亘り定量性を維持した送液が可能となる。
【００１４】
本発明の第５の態様は、第１及び第２の液体容器と、第１の液体容器から第２の液体容器へ液体を送液する送液ポンプと、第２の液体容器中の液面のレベルを測定する液面センサと、液面のレベルの測定により、第２の液体容器へ送液された液量が、予め設定した所定量になったことを検知し、液量が所定量なるまでの時間から、送液の流量を計算する流量計算手段と、流量を格納する流量記憶部と、流量記憶部に格納された複数回の送液の流量から、複数回の送液の流量の平均値を計算する平均値計算手段と、予め設定した閾値と、平均値を比較し、平均値が閾値よりも小さければ、送液ポンプのメンテナンス時期であると判定する平均値比較手段とを備える送液システムであることを要旨とする。
【００１５】
平均値計算手段により複数回の送液の流量の平均値を計算することで、平均値比較手段が消耗部材の交換時期（寿命）を判断できる。又、ポンプ流量の平均値に応じて、ポンプ作動時間を調整すれば、定量性を維持することが可能となる。安全サイドの設定された交換時期ではなく、実測値からの判断により消耗部材の交換を行うことで、メンテナンス費用の削減につながり、長期間に亘り定量性を維持した送液が可能となる。
【００１６】
本発明の第６の態様は、第１及び第２の液体容器と、第１の液体容器から第２の液体容器へ液体を送液する送液ポンプと、第２の液体容器中の液面のレベルを測定する液面センサと、液面のレベルの測定により、第２の液体容器へ送液された液量が、予め設定した所定量になったことを検知し、液量が所定量なるまでの時間から、送液の流量を計算する流量計算手段と、流量を格納する流量記憶部と、流量記憶部に格納された前回と今回の送液の流量から、流量変化の微分値を計算する微分値計算手段と、予め設定した閾値と、微分値を比較し、微分値が閾値よりも大きければ、送液ポンプのメンテナンス時期であると判定する微分値比較手段とを備える送液システムであることを要旨とする。
【００１７】
微分値計算手段が計算したポンプ流量の変化の微分値の経時変化を記録することで、微分値比較手段が消耗部材の交換時期（寿命）を判断できる。又、ポンプ流量の変化に応じて、ポンプ作動時間を調整すれば、定量性を維持することが可能となる。安全サイドの設定された交換時期ではなく、実測値からの判断により消耗部材の交換を行うことで、メンテナンス費用の削減につながり、長期間に亘り定量性を維持した送液が可能となる。
【００１８】
本発明の第７の態様は、第１及び第２の液体容器と、第１の液体容器から第２の液体容器へ、分析用の液体を送液する送液ポンプと、第２の液体容器に貯蔵された分析用の液体を分析する分析手段と、第２の液体容器中の液面のレベルを測定する液面センサと、液面のレベルの測定により、第２の液体容器へ送液された液量が、予め設定した所定量になったことを検知し、液量が所定量なるまでの時間から、送液の流量を計算する流量計算手段と、予め設定した閾値と、流量を比較し、流量が閾値よりも小さければ、送液ポンプのメンテナンス時期であると判定する流量比較手段とを備える分析装置であることを要旨とする。
【００１９】
本発明の第８の態様は、第１及び第２の液体容器と、第１の液体容器から第２の液体容器へ、分析用の液体を送液する送液ポンプと、第２の液体容器に貯蔵された分析用の液体を分析する分析手段と、第２の液体容器中の液面のレベルを測定する液面センサと、液面のレベルの測定により、第２の液体容器へ送液された液量が、予め設定した所定量になったことを検知し、液量が所定量なるまでの時間から、送液の流量を計算する流量計算手段と、流量を格納する流量記憶部と、流量記憶部に格納された複数回の送液の流量から、複数回の送液の流量の平均値を計算する平均値計算手段と、予め設定した閾値と、平均値を比較し、平均値が閾値よりも小さければ、送液ポンプのメンテナンス時期であると判定する平均値比較手段とを備える分析装置であることを要旨とする。
【００２０】
本発明の第９の態様は、第１及び第２の液体容器と、第１の液体容器から第２の液体容器へ、分析用の液体を送液する送液ポンプと、第２の液体容器に貯蔵された分析用の液体を分析する分析手段と、第２の液体容器中の液面のレベルを測定する液面センサと、液面のレベルの測定により、第２の液体容器へ送液された液量が、予め設定した所定量になったことを検知し、液量が所定量なるまでの時間から、送液の流量を計算する流量計算手段と、流量を格納する流量記憶部と、流量記憶部に格納された前回と今回の送液の流量から、流量変化の微分値を計算する微分値計算手段と、予め設定した閾値と、微分値を比較し、微分値が閾値よりも大きければ、送液ポンプのメンテナンス時期であると判定する微分値比較手段とを備える分析装置であることを要旨とする。
【発明の効果】
【００２１】
本発明によれば、送液ポンプの消耗部材の交換時期を的確に見極め、そのメンテナンス費用及び手間を軽減できる送液システム、この送液システムを用いた分析装置、及び送液システムに用いられる送液ポンプの寿命診断方法を提供することができる。
【発明を実施するための最良の形態】
【００２２】
次に、図面を参照して、本発明の第１〜第３の実施の形態を説明する。以下の図面の記載において、同一又は類似の部分には同一又は類似の符号を付している。以下に示す第１〜第３の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。特に、以下の第１〜第３の実施の形態では、送液ポンプの一例として蠕動運動型ポンプについて例示的に説明するが、本発明の技術的思想は、蠕動運動型ポンプにのみ限定されて適用されるのではなく、ダイアフラム式ポンプ、ベローズ式ポンプ、プランジャー式ポンプ、ローラ式チューブポンプ、電磁ポンプ、渦巻きポンプ等でも構わないことは勿論である。但し、本発明の安価で、メンテナンス費用及び手間を軽減できるという効果を鑑みると、蠕動運動型ポンプ等の安価なポンプに適用するのが好適である。
【００２３】
（第１の実施の形態）
本発明の第１の実施の形態に係る送液システムは、図１に示すように、第１の液体容器３１，第２の液体容器３６、第１の液体容器３１から第２の液体容器３６へ液体を送液する蠕動運動型ポンプ３３、第２の液体容器３６に設けられた液面センサ３５、蠕動運動型ポンプ３３及び液面センサ３５の動作を制御する制御装置１０とを備える。
【００２４】
本発明の第１の実施の形態に係る送液システムは、電気泳動装置等の分析装置に適用可能である。即ち、本発明の第１の実施の形態に係る分析装置は、図１に示したのと同様に、第１の液体容器３１，第２の液体容器３６、第１の液体容器３１から第２の液体容器３６へ分析用の液体を送液する蠕動運動型ポンプ３３に加え、更に第２の液体容器３６に貯蔵された分析用の液体を分析する分析手段（図示省略。）あるいは、液体容器３６の貯蔵された液体が泳動分離媒体であり、この液体を使用して試料の電気泳動分析を行う手段（図示省略）等を備える。
【００２５】
図１に示すように、第１の液体容器３１から蠕動運動型ポンプ３３へは、第１の配管を介して、蠕動運動型ポンプ３３から第２の液体容器３６へは、第１の配管を介して送液される。液面センサ３５は、例えば、第２の液体容器３６の上部に装備すればよい。液面センサ３５としては、光学センサ、静電容量センサ、電極(液が導電性の場合)等、種々のセンサが採用可能であり、第２の液体容器３６の液面高さをプローブで検知し、注入量を高さから計算する形式のセンサでもよい。液面検知のプローブは、別途用意してもよく、送液システムを適用する分析装置等の機器にもよるが、他の目的のプローブを液面検知のプローブとして転用しても構わない。第２の液体容器３６は、送液システムを適用する機器にもよるが、単なる凹部でも構わない。
【００２６】
図１に示すように、制御装置１０は、蠕動運動型ポンプ３３及び液面センサ３５を制御し、更に、蠕動運動型ポンプ３３の寿命を診断するＣＰＵ１、操作者からのデータや命令などの入力を受け付ける入力装置４、ＣＰＵ１の演算結果及び寿命診断結果等を出力する出力装置５及び表示装置６、液面センサ３５が測定した液面のデータを格納する液面データ記憶部６３、液面データ記憶部６３に格納された液面のデータを用いて、流量計算手段５４が計算した流量の値を格納する流量記憶部６４、蠕動運動型ポンプ３３の寿命診断に必要な寿命の閾値を格納する閾値記憶部６７、ＣＰＵ１が実施する蠕動運動型ポンプ３３の寿命の診断に必要な所定のデータなどを格納したデータ記憶部６９、ＣＰＵ１が実施する蠕動運動型ポンプ３３の寿命診断プログラムなどを格納したプログラム記憶部６２とを備える。入力装置４、出力装置５及び表示装置６は入出力制御部３を介してバス２に接続される。ＣＰＵ１、液面データ記憶部６３、流量記憶部６４、閾値記憶部６７、データ記憶部６９、プログラム記憶部６２、蠕動運動型ポンプ３３及び液面センサ３５も同様にバス２に接続される。
【００２７】
ＣＰＵ１は、蠕動運動型ポンプ３３を駆動制御するポンプ駆動制御手段５１、液面センサ３５を駆動制御する液面センサ駆動制御手段５２、液面センサ３５の出力信号を、液面のデータに変換して液面データ記憶部６３に格納させる液面データ入力手段５３、液面データ記憶部６３に格納された液面のデータを用いて、蠕動運動型ポンプ３３が送液する液体の流量を計算する流量計算手段５４、閾値記憶部６７に格納された閾値と流量記憶部６４に格納された流量とを比較する流量比較手段５５、流量比較手段５５の結果によりメンテナンス時期であるか否かを決定し、メンテナンス時期であると決定された場合は、表示装置６にメンテナンス時期である旨を表示させるメンテナンス時期表示手段５６とを備える。
【００２８】
図１において、入力装置４はキーボード、マウス、ライトペン又はフレキシブルディスク装置などで構成される。入力装置４より分析実行者は、入出力データを指定したり、許容誤差の値及び誤差の程度を設定できる。更に、入力装置４より出力データの形態等の分析パラメータを設定することも可能で、又、演算の実行や中止等の指示の入力も可能である。又、出力装置５及び表示装置６は、それぞれプリンタ装置及びディスプレイ装置等により構成されている。表示装置６は入出力データや演算結果及び寿命診断結果等や分析パラメータ等を表示する。データ記憶部６９は入出力データや分析パラメータ及びその履歴や演算途中のデータ等を記憶する。
【００２９】
蠕動運動型ポンプ３３においては、消耗部材であるフレキシブルチューブの劣化は、しごきローラにより押し潰されたフレキシブルチューブの復元力の低下に現れ、結局、ポンプ流量の低下へとつながる。したがって、第１の実施の形態に係る送液システムによれば、蠕動運動型ポンプ３３の流量の経時変化を流量記憶部６４に記録することで、消耗部材であるフレキシブルチューブの交換時期（寿命）を流量比較手段５５で閾値記憶部６７に格納された閾値と比較して判断できる。又、変化したポンプ流量に応じて、蠕動運動型ポンプ３３の作動時間を調整すれば、蠕動運動型ポンプ３３の定量性を維持することが可能となる。
【００３０】
更に、第１の実施の形態に係る送液システムによれば、安全サイドの設定された蠕動運動型ポンプ３３の交換時期ではなく、蠕動運動型ポンプ３３の流量の実測値からの判断により消耗部材であるフレキシブルチューブの交換を行うことで、蠕動運動型ポンプ３３のメンテナンス費用の削減につながる。又、長期間に亘り、蠕動運動型ポンプ３３の定量性を維持した送液が可能となる。
【００３１】
図２のフローチャートを用いて、本発明の第１の実施の形態に係る送液ポンプの寿命診断方法を蠕動運動型ポンプ３３の場合を例示して説明する。なお、以下に述べる送液ポンプの寿命診断方法は、一例であり、この変形例を含めて、これ以外の種々の寿命診断方法により、実現可能であることは勿論である。
【００３２】
（イ）ステップＳ１０１において、ポンプ駆動制御手段５１が送液ポンプ（蠕動運動型ポンプ）３３を起動して、第１の液体容器３１から第２の液体容器３６への送液を開始し、ステップＳ１０２に進む。
【００３３】
（ロ）ステップＳ１０２において、液面センサ駆動制御手段５２が液面センサ３５を駆動制御して、第２の液体容器３６へ送液された液面レベル（液面データ）を計測する。即ち、液面データ入力手段５３が液面センサ３５の出力信号を、液面のデータに変換し、この液面のデータを逐次（順次）、一定の時間毎（所定期間毎）に、液面データ記憶部６３に格納する。液面データ記憶部６３に格納された液面のデータが、予め設定した所定量になれば、流量計算手段５４が、第１の液体容器３１から第２の液体容器３６への、この所定量の送液にかかった時間から、流量を計算し、ステップＳ１０３に進む。
【００３４】
（ハ）流量比較手段５５は、ステップＳ１０３において、閾値記憶部６７に格納された閾値を読み出し、ステップＳ１０２で計算した流量と比較する。ステップＳ１０２で計算した流量が閾値よりも大きければステップＳ１０４に進む。ステップＳ１０２で計算した流量が閾値よりも小さければ、送液ポンプ（蠕動運動型ポンプ）３３のメンテナンス時期であると判定し、ステップＳ１０６に進み、メンテナンス時期表示手段５６が表示装置６にメンテナンス時期であることを表示させる。
【００３５】
（ニ）ステップＳ１０４において、ステップＳ１０２で計算した流量を流量記憶部６４に格納し、ステップＳ１０５に進む。ステップＳ１０５においては、次の分析があるか判定し、次の分析があれば、ステップＳ１０１に戻り、ステップＳ１０２〜ステップＳ１０５の手順を繰り返す。ステップＳ１０５において、次の分析がないと判定されれば、本発明の第１の実施の形態に係る送液ポンプの寿命診断方法を終了する。
【００３６】
上記のような、本発明の第１の実施の形態に係る送液ポンプの寿命診断方法においては、流量計算手段５４が計算した流量を流量記憶部６４に格納することにより、蠕動運動型ポンプ３３の履歴を管理することができる。又、上記の手順を繰り返すことにより、第１の実施の形態に係る送液システムの自己診断が可能となる。即ち、所定期間毎(場合によっては運転開始時毎)に行い、計測された流量から、所定量の送液にかかる時間を計算し、運転プログラムにフィードバックすることができる。
【００３７】
本発明の第１の実施の形態に係る送液ポンプの寿命診断方法によれば、経時変化により定量性に問題のあった送液ポンプ（蠕動運動型ポンプ）３３の流量をチェックし、送液ポンプの運転プログラムにフィードバックすることができる。このため、第１の実施の形態に係る送液ポンプの寿命診断方法によれば、安価な送液ポンプを、確実な送液が必要である分析装置に、適用することができる。
【００３８】
図２に示した一連の寿命診断操作は、図２と等価なアルゴリズムの運転プログラムにより、図１に示した制御装置１０を制御して実行できる。この運転プログラムは、本発明の制御装置１０を構成するコンピュータシステムのプログラム記憶部６２に記憶させればよい。又、この運転プログラムは、コンピュータ読取り可能な記録媒体に保存し、この記録媒体を制御装置１０のプログラム記憶部６２に読み込ませることにより、本発明の一連の寿命診断操作を実行することができる。ここで、「コンピュータ読取り可能な記録媒体」とは、例えばコンピュータの外部メモリ装置、半導体メモリ、磁気ディスク、光ディスク、光磁気ディスク、磁気テープなどのプログラムを記録することができるような媒体などを意味する。具体的には、フレキシブルディスク、ＣＤ−ＲＯＭ，ＭＯディスク、カセットテープ、オープンリールテープなどが「コンピュータ読取り可能な記録媒体」に含まれる。例えば、制御装置１０の本体は、フレキシブルディスク装置（フレキシブルディスクドライブ）及び光ディスク装置（光ディスクドライブ）を内蔵若しくは外部接続するように構成できる。フレキシブルディスクドライブに対してはフレキシブルディスクを、又、光ディスクドライブに対してはＣＤ−ＲＯＭをその挿入口から挿入し、所定の読み出し操作を行うことにより、これらの記録媒体に格納されたプログラムを制御装置１０を構成するプログラム記憶部６２にインストールすることができる。又、所定のドライブ装置を接続することにより、例えばゲームパック等に利用されているメモリ装置としてのＲＯＭや、磁気テープ装置としてのカセットテープを用いることもできる。更に、インターネット等の情報処理ネットワークを介して、このプログラムをプログラム記憶部６２に格納することが可能である。
【００３９】
（第２の実施の形態）
本発明の第２の実施の形態に係る送液システムは、図３に示すように、第１の液体容器３１，第２の液体容器３６、第１の液体容器３１から第２の液体容器３６へ液体を送液する蠕動運動型ポンプ３３、第２の液体容器３６に設けられた液面センサ３５、蠕動運動型ポンプ３３及び液面センサ３５の動作を制御する制御装置１０とを備えており、概略の基本構成としては、第１の実施の形態に係る送液システムとほぼ同様である。
【００４０】
しかしながら、制御装置１０が第１の実施の形態で説明したＣＰＵ１、入力装置４、出力装置５、表示装置６、液面データ記憶部６３、流量記憶部６４、閾値記憶部６７、データ記憶部６９、プログラム記憶部６２、入出力制御部３等に加え、流量の平均値を格納する平均値記憶部６５を更に備える点で、図１に示した構成とは異なる。更に、ＣＰＵ１が、第１の実施の形態で説明したポンプ駆動制御手段５１、液面センサ駆動制御手段５２、液面データ入力手段５３、流量計算手段５４、メンテナンス時期表示手段５６に加え、流量の平均値を計算する平均値計算手段５７と、閾値記憶部６７に格納された閾値と平均値記憶部６５に格納された平均値とを比較する平均値比較手段５８を更に備える点で、図１に示した構成とは異なる。他は、第１の実施の形態に係る送液システムと実質的に同様であるので、重複した説明を省略する。
【００４１】
第２の実施の形態に係る送液システムによれば、蠕動運動型ポンプ３３の流量の平均値の経時変化を平均値記憶部６５に記録することで、消耗部材であるフレキシブルチューブの交換時期（寿命）を平均値比較手段５８で閾値記憶部６７に格納された閾値と比較して判断できる。又、変化したポンプ流量の平均値に応じて、蠕動運動型ポンプ３３の作動時間を調整すれば、蠕動運動型ポンプ３３の定量性を維持することが可能となる。
【００４２】
更に、第２の実施の形態に係る送液システムによれば、安全サイドの設定された蠕動運動型ポンプ３３の交換時期ではなく、蠕動運動型ポンプ３３の流量の平均値の実測値からの判断により消耗部材であるフレキシブルチューブの交換を行うことで、蠕動運動型ポンプ３３のメンテナンス費用の削減につながる。又、長期間に亘り、蠕動運動型ポンプ３３の定量性を維持した送液が可能となる。
【００４３】
本発明の第２の実施の形態に係る送液システムは、電気泳動装置等の分析装置に適用可能である。即ち、本発明の第２の実施の形態に係る分析装置は、図３に示したのと同様に、第１の液体容器３１，第２の液体容器３６、第１の液体容器３１から第２の液体容器３６へ分析用の液体を送液する蠕動運動型ポンプ３３に加え、更に第２の液体容器３６に貯蔵された分析用の液体を分析する分析手段（図示省略。）あるいは、液体容器３６の貯蔵された液体が泳動分離媒体であり、この液体を使用して試料の電気泳動分析を行う手段（図示省略）等を備える。
【００４４】
図４のフローチャートを用いて、本発明の第２の実施の形態に係る送液ポンプの寿命診断方法を蠕動運動型ポンプ３３の場合を例示して説明する。なお、以下に述べる送液ポンプの寿命診断方法は、一例であり、この変形例を含めて、これ以外の種々の寿命診断方法により、実現可能であることは勿論である。
【００４５】
（イ）ステップＳ２０１において、ポンプ駆動制御手段５１が蠕動運動型ポンプ３３を起動して、第１の液体容器３１から第２の液体容器３６への送液を開始し、ステップＳ２０２に進む。
【００４６】
（ロ）ステップＳ２０２において、液面センサ駆動制御手段５２が液面センサ３５を駆動制御して、第２の液体容器３６へ送液された液面レベル（液面データ）を計測する。即ち、液面データ入力手段５３が液面センサ３５の出力信号を、液面のデータに変換し、この液面のデータを逐次（順次）、一定の時間毎（所定期間毎）に、液面データ記憶部６３に格納する。液面データ記憶部６３に格納された液面のデータが、予め設定した所定量になれば、流量計算手段５４が、第１の液体容器３１から第２の液体容器３６への、この所定量の送液にかかった時間から、流量を計算する。流量を計算したら、ステップＳ２０３に進み、ステップＳ２０２で計算した流量を流量記憶部６４に格納し、更に、ステップＳ２０４に進む。
【００４７】
（ハ）ステップＳ２０４において、予め定めた回数（ｋを２以上の正の整数としてｋ回）目の送液か否かを判定し、ｋ回目未満の送液であれば、ステップＳ２０７に進む。ステップＳ２０７で、次の分析があるか判定し、次の分析があれば、ステップＳ２０１に戻り、ステップＳ２０１〜ステップＳ２０７の手順を繰り返す。ステップＳ２０７において、次の分析がないと判定されれば、本発明の第２の実施の形態に係る送液ポンプの寿命診断方法を終了する。ステップＳ２０４において、ｋ回目の送液であると判定されれば、ステップＳ２０５に進む。ステップＳ２０５において、流量記憶部６４に格納された１回目からｋ回目までの流量データを読み出し、平均値計算手段５７が、ｋ回の流量の平均値を計算する。ｋ回の流量の平均値を計算したら、ステップＳ２０６に進む。
【００４８】
（ニ）平均値比較手段５８は、ステップＳ２０６において、閾値記憶部６７に格納された閾値を読み出し、ステップＳ２０５で計算した流量の平均値と比較する。ステップＳ２０５で計算した流量の平均値が閾値よりも大きければ、ステップＳ２０５で計算した流量の平均値を平均値記憶部６５に格納し、ステップＳ２０７に進む。ステップＳ２０５で計算した流量の平均値が閾値よりも小さければ、送液ポンプ（蠕動運動型ポンプ）３３のメンテナンス時期であると判定し、ステップＳ２０８に進み、メンテナンス時期表示手段５６が表示装置６にメンテナンス時期であることを表示させる。
【００４９】
（ホ）ステップＳ２０７において、次の分析があるか判定し、次の分析があれば、ステップＳ２０１に戻り、ステップＳ２０１〜ステップＳ２０７の手順を繰り返す。ステップＳ２０７において、次の分析がないと判定されれば、本発明の第２の実施の形態に係る送液ポンプの寿命診断方法を終了する。
【００５０】
上記のような、本発明の第２の実施の形態に係る送液ポンプの寿命診断方法においては、平均値計算手段５７が計算した流量の平均値を平均値記憶部６５に格納することにより、蠕動運動型ポンプ３３の履歴を管理することができる。又、上記の手順を繰り返すことにより、第２の実施の形態に係る送液システムの自己診断が可能となる。即ち、計測された流量の平均値のデータを運転プログラムにフィードバックすることができる。
【００５１】
本発明の第２の実施の形態に係る送液ポンプの寿命診断方法によれば、経時変化により定量性に問題のあった送液ポンプ（蠕動運動型ポンプ）３３の流量の平均値をチェックし、送液ポンプの運転プログラムにフィードバックすることができる。このため、第２の実施の形態に係る送液ポンプの寿命診断方法によれば、安価な送液ポンプを、確実な送液が必要である分析装置に、適用することができる。
【００５２】
図４に示した一連の寿命診断操作は、図４と等価なアルゴリズムの運転プログラムにより、図３に示した制御装置１０を制御して実行できることは第１の実施の形態と同様である。この運転プログラムは、本発明の制御装置１０を構成するコンピュータシステムのプログラム記憶部６２に記憶させればよい。
【００５３】
（第３の実施の形態）
本発明の第３の実施の形態に係る送液システムは、図５に示すように、第１の液体容器３１，第２の液体容器３６、第１の液体容器３１から第２の液体容器３６へ液体を送液する蠕動運動型ポンプ３３、第２の液体容器３６に設けられた液面センサ３５、蠕動運動型ポンプ３３及び液面センサ３５の動作を制御する制御装置１０とを備えており、概略の基本構成としては、第１及び第２の実施の形態に係る送液システムとほぼ同様である。
【００５４】
しかしながら、制御装置１０が第１の実施の形態で説明したＣＰＵ１、入力装置４、出力装置５、表示装置６、液面データ記憶部６３、流量記憶部６４、閾値記憶部６７、データ記憶部６９、プログラム記憶部６２、入出力制御部３等に加え、流量変化の微分値を格納する微分値記憶部６６を更に備える点で、図１及び図３に示した構成とは異なる。更に、ＣＰＵ１が、第１の実施の形態で説明したポンプ駆動制御手段５１、液面センサ駆動制御手段５２、液面データ入力手段５３、流量計算手段５４、メンテナンス時期表示手段５６に加え、流量変化の微分値を計算する微分値計算手段５９と、閾値記憶部６７に格納された閾値と微分値記憶部６６に格納された平均値とを比較する微分値比較手段６０を更に備える点で、図１に示した構成とは異なる。他は、第１及び第２の実施の形態に係る送液システムと実質的に同様であるので、重複した説明を省略する。
【００５５】
第３の実施の形態に係る送液システムによれば、蠕動運動型ポンプ３３の流量変化の微分値の経時変化を微分値記憶部６６に記録することで、消耗部材であるフレキシブルチューブの交換時期（寿命）を微分値比較手段６０で閾値記憶部６７に格納された閾値と比較して判断できる。又、流量変化の微分値に応じて、蠕動運動型ポンプ３３の作動時間を調整すれば、蠕動運動型ポンプ３３の定量性を維持することが可能となる。
【００５６】
更に、第３の実施の形態に係る送液システムによれば、安全サイドの設定された蠕動運動型ポンプ３３の交換時期ではなく、蠕動運動型ポンプ３３の流量変化の実測値からの判断により消耗部材であるフレキシブルチューブの交換を行うことで、蠕動運動型ポンプ３３のメンテナンス費用の削減につながる。又、長期間に亘り、蠕動運動型ポンプ３３の定量性を維持した送液が可能となる。
【００５７】
本発明の第３の実施の形態に係る送液システムは、電気泳動装置等の分析装置に適用可能である。即ち、本発明の第３の実施の形態に係る分析装置は、図５に示したのと同様に、第１の液体容器３１，第２の液体容器３６、第１の液体容器３１から第２の液体容器３６へ分析用の液体を送液する蠕動運動型ポンプ３３に加え、更に第２の液体容器３６に貯蔵された分析用の液体を分析する分析手段（図示省略。）あるいは、液体容器３６の貯蔵された液体が泳動分離媒体であり、この液体を使用して試料の電気泳動分析を行う手段（図示省略）を備える。
【００５８】
図６のフローチャートを用いて、本発明の第３の実施の形態に係る送液ポンプの寿命診断方法を蠕動運動型ポンプ３３の場合を例示して説明する。なお、以下に述べる送液ポンプの寿命診断方法は、一例であり、この変形例を含めて、これ以外の種々の寿命診断方法により、実現可能であることは勿論である。
【００５９】
（イ）ステップＳ３０１において、ポンプ駆動制御手段５１が蠕動運動型ポンプ３３を起動して、第１の液体容器３１から第２の液体容器３６への送液を開始し、ステップＳ３０２に進む。
【００６０】
（ロ）ステップＳ３０２において、液面センサ駆動制御手段５２が液面センサ３５を駆
動制御して、第２の液体容器３６へ送液された液面レベル（液面データ）を計測する。即
ち、液面データ入力手段５３が液面センサ３５の出力信号を、液面のデータに変換し、こ
の液面のデータを逐次（順次）、一定の時間毎（所定期間毎）に、液面データ記憶部６３に格納する。液面データ記憶部６３に格納された液面のデータが、予め設定した所定量になれば、流量計算手段５４が、第１の液体容器３１から第２の液体容器３６への、この所定量の送液にかかった時間から、流量を計算する。流量を計算したら、ステップＳ３０３に進む。ステップＳ３０３では、ステップＳ３０２で計算した流量を流量記憶部６４に格納し、更にステップＳ３０４に進む。
【００６１】
（ハ）ステップＳ３０４において、２回目以上の送液か否かを判定し、１回目の送液で
あれば、ステップＳ３１０に進む。ステップＳ３１０では、次の分析があるか判定し、次の分析があれば、ステップＳ３０１に戻り、ステップＳ３０１〜ステップＳ３１０の手順を繰り返す。ステップＳ３１０において、次の分析がないと判定されれば、本発明の第３の実施の形態に係る送液ポンプの寿命診断方法を終了する。ステップＳ３０４において、２回目以上の送液であると判定されれば、ステップＳ３０５に進む。
【００６２】
（ニ）ステップＳ３０５において、流量記憶部６４に格納された前回の流量データを読み出し、ステップＳ３０６に進む。ステップＳ３０６において、微分値計算手段５９が、前回と今回の流量変化の微分値を計算する。流量変化の微分値を計算したら、ステップＳ３０７に進む。
【００６３】
（ホ）微分値比較手段６０は、ステップＳ３０７において、閾値記憶部６７に格納された閾値を読み出し、ステップＳ３０６で計算した流量変化の微分値と比較する。ステップＳ３０４で計算した流量変化の微分値が閾値よりも小さければ、ステップＳ３０８に進む。ステップＳ３０８において、ステップＳ３０６で計算した流量変化の微分値を微分値記憶部６６に格納し、ステップＳ３１０に進む。ステップＳ３０６で計算した流量変化の微分値が閾値よりも大きければ、送液ポンプ（蠕動運動型ポンプ）３３のメンテナンス時期であると判定し、ステップＳ３０９に進み、メンテナンス時期表示手段５６が表示装置６にメンテナンス時期であることを表示させる。
【００６４】
（ヘ）ステップＳ３１０において、次の分析があるか判定し、次の分析があれば、ステップＳ３０１に戻り、ステップＳ３０１〜ステップＳ３１０の手順を繰り返す。ステップＳ３１０において、次の分析がないと判定されれば、本発明の第３の実施の形態に係る送液ポンプの寿命診断方法を終了する。
【００６５】
上記のような、本発明の第３の実施の形態に係る送液ポンプの寿命診断方法においては、微分値計算手段５９が計算した流量変化の微分値を微分値記憶部６６に格納することにより、蠕動運動型ポンプ３３の履歴を管理することができる。又、上記の手順を繰り返すことにより、第３の実施の形態に係る送液システムの自己診断が可能となる。即ち、計測された流量変化の微分値のデータを運転プログラムにフィードバックすることができる。
【００６６】
本発明の第３の実施の形態に係る送液ポンプの寿命診断方法によれば、経時変化により定量性に問題のあった送液ポンプ（蠕動運動型ポンプ）３３の流量変化の微分値をチェックし、送液ポンプの運転プログラムにフィードバックすることができる。このため、第３の実施の形態に係る送液ポンプの寿命診断方法によれば、安価な送液ポンプを、確実な送液が必要である分析装置に、適用することができる。
【００６７】
図６に示した一連の寿命診断操作は、図６と等価なアルゴリズムの運転プログラムにより、図５に示した制御装置１０を制御して実行できることは第１及び第２の実施の形態と同様である。この運転プログラムは、本発明の制御装置１０を構成するコンピュータシステムのプログラム記憶部６２に記憶させればよい。
【００６８】
（その他の実施の形態）
上記のように、本発明は第１〜第３の実施の形態によって記載したが、この開示の一部をなす論述及び図面は本発明を限定するものであると理解すべきではない。この開示から当業者には様々な代替実施の形態、実施例及び運用技術が明らかとなろう。
【００６９】
更に、第１〜第３の実施の形態で説明したそれぞれの技術的思想を互いに組合せることも可能である。例えば、第２の実施の形態に係る送液システムのＣＰＵ１には、流量比較手段５５がないが、流量比較手段５５を備えるようにし、図２のフローチャートで説明した流量比較のモードと図４のフローチャートで説明した平均値比較のモードを選択できるようにしてもよい。又、第３の実施の形態に係る送液システムのＣＰＵ１にも、流量比較手段５５がないが、流量比較手段５５を備えるようにし、図２のフローチャートで説明した流量比較のモードと図６のフローチャートで説明した微分値比較のモードを選択できるようにしてもよい。更に、ＣＰＵ１に、流量比較手段５５、平均値計算手段５７、平均値比較手段５８、微分値計算手段５９、微分値比較手段６０のすべてを備えるようにし、図２のフローチャートで説明した流量比較のモード、図４のフローチャートで説明した平均値比較のモード又は、図６のフローチャートで説明した微分値比較のモードを任意に選択できるようにしてもよい。
【００７０】
又、第１の実施の形態で説明した流量比較、第２の実施の形態で説明した平均値、第３の実施の形態で説明した微分値比較は、それぞれ、すべての送液毎に行う必要はなく、毎日の起動時等、特定の送液のタイミングでサンプリングするようにしてもよい。
【００７１】
又、第１〜第３の実施の形態で説明した送液システムは分析装置だけでなく、分析装置以外の理化学機器や医療機器、或いは医薬品の製造や半導体装置の製造における流体の送液に用いても構わない。
【００７２】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００７３】
【図１】本発明の第１の実施の形態に係る送液システムの内容の概略を示すシステム構成図である。
【図２】本発明の第１の実施の形態に係る送液ポンプの寿命診断方法を説明するフローチャートである。
【図３】本発明の第２の実施の形態に係る送液システムの内容の概略を示すシステム構成図である。
【図４】本発明の第２の実施の形態に係る送液ポンプの寿命診断方法を説明するフローチャートである。
【図５】本発明の第３の実施の形態に係る送液システムの内容の概略を示すシステム構成図である。
【図６】本発明の第３の実施の形態に係る送液ポンプの寿命診断方法を説明するフローチャートである。
【符号の説明】
【００７４】
１…ＣＰＵ
２…バス
３…入出力制御部
４…入力装置
５…出力装置
６…表示装置
１０…制御装置
３１…第１の液体容器
３３…送液ポンプ（蠕動運動型ポンプ）
３５…液面センサ
３６…第２の液体容器
５１…ポンプ駆動制御手段
５２…液面センサ駆動制御手段
５３…液面データ入力手段
５４…流量計算手段
５５…流量比較手段
５６…メンテナンス時期表示手段
５７…平均値計算手段
５８…平均値比較手段
５９…微分値計算手段
６０…微分値比較手段
６２…プログラム記憶部
６３…液面データ記憶部
６４…流量記憶部
６５…平均値記憶部
６６…微分値記憶部
６７…閾値記憶部
６９…データ記憶部
【図１】
2009270453.tif 000003
【図２】
2009270453.tif 000004
【図３】
2009270453.tif 000005
【図４】
2009270453.tif 000006
【図５】
2009270453.tif 000007
【図６】
2009270453.tif 000008